(57)【特許請求の範囲】
【請求項１】
筐体と；
断面Ｉ形の中心板と；
上記中心板の先端を中心に回動可能な複数の回動板と；
上記回動板の回動中心と反対端に設けられている回動板用係合手段と；
上記筐体の内壁に設けられ、上記回動板用係合手段を介して、上記回動板と係合する内壁用係合手段と；
を有し、上記中心板の１つの先端を中心に回動可能な２つの上記回動板は、一方の回動板の長さと他方の回動板の長さとが異なり、上記一方の回動板と上記他方の回動板とが互いに係合することを特徴とするバッグ。
【請求項２】
請求項１において、
上記複数の回動板は、上記中心板の１つの先端である第１の先端、この第１の先端とは反対に位置する第２の先端のうちの少なくとも１つに設けられていることを特徴とするバッグ。
【請求項３】
請求項１において、
上記中心板の下部と、上記筐体の内部底とを着脱可能とする底用着脱手段を有することを特徴とするバッグ。
【請求項４】
請求項３において、
上記底用着脱手段は、所定の幅を有し、上記中心板と上記筐体の内部底との相対的な装着位置を変更可能であることを特徴とするバッグ。
【請求項５】
断面Ｉ形の中心板と；
上記中心板の先端を中心に回動可能な複数の回動板と；
上記回動板の回動中心と反対端に設けられている係合手段であって、バッグの内壁と係合する係合手段と；
を有し、上記中心板の１つの先端を中心に回動可能な２つの上記回動板は、一方の回動板の長さと他方の回動板の長さとが異なり、上記一方の回動板と上記他方の回動板とが互いに係合することを特徴とする容器の中仕切り。
【発明の詳細な説明】
【技術分野】
【０００１】
本発明は、バッグ及び容器の中仕切りに関する。
【背景技術】
【０００２】
従来のビジネスバッグは、その内部に、平板の中仕切りが設けられ、この中仕切りの底部と側端部とが、バッグの内壁に固定されている。上記中仕切りが１枚であれば、バッグ内に、２つの空間が存在する。中仕切りが複数枚設けられていれば、バッグの内部に、中仕切りの枚数＋１の空間がバッグ内に存在する。いずれにしても、中仕切りの底部と側端部とが、バッグの内壁に固定されているので、バッグの内壁と中仕切りとによって構成される空間領域の形状が固定されている。
【０００３】
そこで、バッグ内面に、スライドレールを設け、このスライドレールに沿って中仕切りが移動し、任意の位置で中仕切りを固定するバッグが知られている（たとえば、特許文献１参照）。
【先行技術文献】
【特許文献】
【０００４】
【特許文献１】特開２０００-１８４９０９号公報
【発明の概要】
【発明が解決しようとする課題】
【０００５】
しかし、上記従来例では、バッグ内で、飲料水容器、折り畳み傘等の縦長収納物を立てて収納する場合、スライドレールをバッグの内壁に設置することによってバッグ内壁と中仕切りとを接合する必要があるので、バッグ内壁と中仕切りとの接合手段を容易に製造することができないという問題がある。
【０００６】
また、上記従来例では、バッグ内で縦長収納物を立てて収納する場合、一次元的にのみ、空間の広さを調節する装置であり、バッグ内の空間を二次元的に分割することができず、つまり、バック内の空間を自在に分割することができないという問題がある。
【０００７】
本発明は、バッグ内で縦長収納物を立てて収納する場合、バッグ内の空間を二次元的に分割することができ、つまりバック内の空間を自在に分割することができるバッグを提供することを目的とする。
【課題を解決するための手段】
【０００８】
本発明のバッグは、筐体と、断面Ｉ形の中心板と、上記中心板の先端を中心に回動可能な複数の回動板と、上記回動板の回動中心と反対端に設けられている回動板用係合手段と、上記筐体の内壁に設けられ、上記回動板用係合手段を介して、上記回動板と係合する内壁用係合手段とを有し、上記中心板の１つの先端を中心に回動可能な２つの上記回動板は、一方の回動板の長さと他方の回動板の長さとが異なり、上記一方の回動板と上記他方の回動板とが互いに係合することを特徴とする。
【発明の効果】
【０００９】
本発明によれば、バッグ内の空間を二次元的に分割することができ、つまりバック内の空間を自在に分割することができるという効果を奏する。
【図面の簡単な説明】
【００１０】
【図１】本発明の実施例１であるバッグ１００の外観を示す斜視図である。
【図２】バッグ１００に収納されている中仕切りＰ１を示す斜視図である。
【図３】バッグ１００に収納されている中仕切りＰ１を、バッグ１００の上部から見た平面図である。
【図４】本発明の実施例２であるバッグ２００を示す斜視図である。
【図５】バッグ２００において、回動板４２、４３を、それぞれ回動板４１、４４に係合させた状態を、バッグ２００の上部から見た平面図である。
【図６】本発明の実施例３であるバッグ３００を示す斜視図である。
【図７】本発明の実施例４であるバッグ４００に収納されている中仕切りＰ４を、バッグ４００の上部から見た平面図である。
【発明を実施するための形態】
【００１１】
発明を実施するための形態は、以下の実施例である。
【実施例１】
【００１２】
図１は、本発明の実施例１であるバッグ１００の外観を示す斜視図である。
【００１３】
図２は、バッグ１００に収納されている中仕切りＰ１を示す斜視図である。
【００１４】
バッグ１００は、その筐体Ｃ１の内壁に、受板１１、１２、１３、１４が取り付けられている。つまり、受板１１、１２、１３、１４のそれぞれの一端が、筐体Ｃ１の内壁に取り付けられている。受け板１１には、スナップ１１ａ、１１ｂが設けられている。なお、スナップ１１ｂは、図示を省略している。受板１２には、スナップ１２ａ、１２ｂが設けられ、受け板１３には、スナップ１３ａ、１３ｂが設けられ、受板１４には、スナップ１４ａ、１４ｂが設けられている。
【００１５】
バッグ１００の筐体Ｃ１の中に設けられている中仕切りＰ１は、中心板２０と、回動板３１、３２、３３、３４とを有する。
【００１６】
中心板２０は、その断面がＩ形である。つまり、中心板２０を、バッグ１００の上部から見ると、Ｉ形を形成している。また、中心板２０は、第１の先端２１と第２の先端２２とを有する。
【００１７】
回動板３１、３２は、中心板２０の第１の先端２１を中心に回動可能な板であり、回動板３３、３４は、中心板２０の第２の先端２２を中心に回動可能な板である。
【００１８】
回動板３１の回動中心と反対端に、回動板用係合手段としてのスナップ３１ａ、３１ｂ（図示せず）が設けられている。これらのスナップ３１ａ、３１ｂは、受板１１のスナップスナップ１１ａ、１１ｂのそれぞれと係合し、受板１１を介して、回動板３１を筐体Ｃ１の内壁に固定する。
【００１９】
回動板３２の回動中心と反対端に、スナップ３２ａ、３２ｂ（図示せず）が設けられている。これらのスナップ３２ａ、３２ｂは、受板１２のスナップ１２ａ、１２ｂのそれぞれと係合し、受板１２を介して、回動板３２を筐体Ｃ１の内壁に固定する。
【００２０】
回動板３３の回動中心と反対端に、スナップ３３ａ、３３ｂ（図示せず）が設けられている。これらのスナップ３３ａ、３３ｂは、受板１３のスナップ１３ａ、１３ｂのそれぞれと係合し、受板１３を介して、回動板３３を筐体Ｃ１の内壁に固定する。
【００２１】
回動板３４の回動中心と反対端に、スナップ３４ａ、３４ｂが設けられている。これらのスナップ３４ａ、３４ｂは、受板１４のスナップ１４ａ、１４ｂのそれぞれと係合し、受板１４を介して、回動板３４を筐体Ｃ１の内壁に固定する。
【００２２】
図３は、バッグ１００に収納されている中仕切りＰ１を、バッグ１００の上部から見た平面図である。なお、図３において、スナップを省略して示してある。
【００２３】
つまり、中仕切りＰ１の回動板３１、３２、３３、３４を、それぞれ、受板１１、１２、１３、１４に係合させた状態が、図３に示す状態である。図３において、受板１１と１２とによって、第１の領域Ａ１が形成され、受板１２と１３とによって、第２の領域Ａ２が形成される。また、受板１３と１４とによって、第３の領域Ａ３が形成され、受板１４と１１とによって、第４の領域Ａ４が形成される。第２の領域Ａ２、第４の領域Ａ４は、比較的広いスペースであるので、弁当箱を収納し、また、弁当箱の代わりに、書類等、比較的嵩張る荷物を収納する。第１の領域Ａ１、第３の領域Ａ３には、飲料水容器を収納し、飲料水容器の他に、折り畳み傘等、縦長の品物を収納するようにしてもよい。
【００２４】
バッグ１００によれば、図２に示すように、２つの回動板を互いに開くようにして、内壁に係合し、固定すれば、２つの回動板で仕切られる第１の領域Ａ１または第３の領域Ａ３に、飲料水容器等の筒状容器、長方体等を立てて収納することができ、飲料水容器等の収納位置が安定し、また、飲料水容器等を取り出し易い。
【００２５】
なお、筐体Ｃ１の内壁に、複数の内壁用スナップ（図示せず）を設け、これらの複数の内壁用スナップに、回動板３１、３２、３３、３４の各スナップを係合するようにしてもよい。このようにすれば、受板１１、１２、１３、１４を設ける必要がない。なお、上記複数の内壁用スナップは、内壁用係合手段の例であり、他の係合手段を使用するようにしてもよい。
【００２６】
また、中仕切りＰ１を筐体Ｃ１から取り出すと、領域Ａ１、Ａ２、Ａ３、Ａ４が１つの領域になり、筐体Ｃ１内のスペースが広くなる。取り出された中仕切りＰ１を折り畳むと、筐体Ｃ１に入れても、折り畳まれた中仕切りＰ１の占有スペースが少なくて済む。
【００２７】
上記スナップ３１ａ、３１ｂ、３２ａ、３２ｂ、３３ａ、３３ｂ、３４ａ、３４ｂは、回動板の回動中心と反対端に設けられている回動板用係合手段の例である。
【００２８】
受板１１、１２、１３、１４は、筐体の内壁に設けられ、上記回動板用係合手段を介して、上記回動板と係合する内壁用係合手段の例である。
【００２９】
バッグ１００によれば、２つの回動板を互いに開くようにして、内壁に係合し、固定すれば、２つの回動板で仕切られる第１の領域等に、飲料水容器等の筒状容器、長方体等を立てて収納することができ、また、飲料水容器等を取り出し易く、しかも、飲料水容器の収納スペースと他の収納スペースとを容易に連結することができる。
【００３０】
なお、上記複数の回動板は、上記中心板の１つの先端である第１の先端、この第１の先端とは反対に位置する第２の先端のうちの少なくとも１つに設けられている。すなわち、第１の領域Ａ１、第３の領域Ａ３の少なくとも１つの領域が設けられていれば足りる。
【００３１】
実施例１によれば、バッグ内の空間を二次元的に分割することができ、つまりバック内の空間を自在に分割することができる。
【実施例２】
【００３２】
図４は、本発明の実施例２であるバッグ２００を示す斜視図である。
【００３３】
バッグ２００は、バッグ１００において、中仕切りＰ１の代わりに、中仕切りＰ２を設けたものである。中仕切りＰ２は、中心板４０と、回動板４１、４２、４３、４４とを有する。
【００３４】
回動板４１は、回動板３１において、回動板４２と係合する新たなスナップ等の係合手段を有する板である。つまり、回動板４１は、一方の面に、受板１１のスナップと係合するスナップを有し、他方の面（一方の面の裏側の面）に、回動板４２に設けられているスナップと係合するスナップを有する板である。回動板４２は、一方の面に、受板１２のスナップと係合するスナップを有し、他方の面（一方の面の裏側の面）に、回動板４１のスナップと係合するスナップを有する板である。
【００３５】
回動板４３は、回動板３３において、回動板４４と係合する新たなスナップ等の係合手段を有する板である。つまり、回動板４３は、一方の面に、受板１３のスナップと係合するスナップを有し、他方の面（一方の面の裏側の面）に、回動板４４に設けられているスナップと係合するスナップを有する板である。回動板４４は、一方の面に、受板１４のスナップと係合するスナップを有し、他方の面（一方の面の裏側の面）に、回動板４３のスナップと係合するスナップを有する板である。
【００３６】
バッグ２００において、回動板４１、４２、４３、４４を、それぞれ、受板１１、１２、１３、１４に取り付けた状態は、図２、図３に示す状態と同じである。
【００３７】
図５は、バッグ２００において、回動板４２、４３を、それぞれ回動板４１、４４に係合させた状態を、バッグ２００の上部から見た平面図である。
【００３８】
回動板４２のスナップを、回動板４１のスナップと係合し、回動板４３のスナップを、回動板４４のスナップと係合させることによって、図５に示す状態になる。このようにすることによって、図３に示す第１の領域Ａ１、第３の領域Ａ４が、第２の領域Ａ２と一緒になり、つまり、図５に示すように、第２の領域Ａ２が広くなり、バッグ１００に収納可能な品物よりもやや大きな品物を収納することができる。
【００３９】
なお、図５において、回動板４２を受板１２に係合させたまま、回動板４３のみを回動板４４に係合させるようにしてもよく、回動板４３を受板１３に取り付けたまま、回動板４２のみを回動板４１に係合させるようにしてもよい。
【００４０】
２つの上記回動板は、一方の回動板の長さ（回動軸の放射方向の長さ）と他方の回動板の長さ（回動軸の放射方向の長さ）とが異なり、上記一方の回動板と上記他方の回動板とが互いに係合する。このようにすれば、たとえば、第１の領域Ａ１と第２の領域Ａ２とをつなげ、１つの領域にすることができ、これによって、図１、図２に示す場合よりも、多少長い荷物を収納することができる。
【００４１】
実施例２によれば、バッグ内の空間を二次元的に分割することができ、つまりバック内の空間を自在に分割することができる。
【実施例３】
【００４２】
図６は、本発明の実施例３であるバッグ３００を示す斜視図である。
【００４３】
バッグ３００は、バッグ１００において、中仕切りＰ１の代わりに、中仕切りＰ３を設けたものである。中仕切りＰ３は、中仕切りＰ１において、中心板２０の代わりに、中心板５０を有する。中心板５０は、その下部（筐体Ｃ１の底部側）に、マジックテープ（登録商標）等の着脱可能な接着手段としての面ファスナーＦ１を有する。なお、バッグ３００の筐体Ｃ１の内壁底部には、面ファスナーＦ１に対応する面ファスナーＦ２が設けられている。
【００４４】
バッグ３００において、面ファスナーＦ２に対する面ファスナーＦ１の接着位置を変更することによって、第２の領域Ａ２と第４の領域Ａ４との広さの比を変えることができる。図６に示す状態では、中心板５０を、図６中、右に寄せて固定しているので、図３に示す場合と比較すると、第２の領域Ａ２が狭くなり、第４の領域Ａ４が広くなっている。
【００４５】
つまり、バッグ３００は、中心板５０の下部と、筐体Ｃ１の内部底とを着脱可能であり、これによって、中仕切りＰ３を取り外せば、仕切りが無くなり、バッグ３００の内部スペースが広くなる。
【００４６】
また、面ファスナーＦ１、Ｆ２は、底用着脱手段の例であり、これは、所定の幅を有し、中心板５０と筐体Ｃ１の内部底との相対的な装着位置を変更可能であるので、この相対的な装着位置を変更することによって、第２の領域Ａ２の広さと第４の領域Ａ４の広さとの比率を変えることができる。
【００４７】
実施例３によれば、バッグ内の空間を二次元的に分割することができ、つまりバック内の空間を自在に分割することができる。
【実施例４】
【００４８】
図７は、本発明の実施例４であるバッグ４００に収納されている中仕切りＰ４を、バッグ４００の上部から見た平面図である。
【００４９】
バッグ４００は、筐体Ｃ４と、中仕切りＰ４とを有する。
【００５０】
筐体Ｃ４は、マジックテープ（登録商標）等の面ファスナーと係合するパイル地等を内壁に有する。
【００５１】
中仕切りＰ４は、中心板６０と、回動板７１、７２、７３、７４とを有する。
【００５２】
中心板６０は、その断面がＩ形である。つまり、中心板６０を、バッグ４００の上部から見ると、Ｉ形を形成している。また、中心板６０は、第１の先端６１と第２の先端６２とを有する。
【００５３】
回動板７１、７２は、中心板６０の第１の先端６１を中心に回動可能な板であり、回動板７３、７４は、中心板６０の第２の先端６２を中心に回動可能な板である。
【００５４】
回動板７１の回動中心と反対端に、回動板用係合手段としての面ファスナー７１ａが設けられている。面ファスナー７１ａは、筐体Ｃ４の内壁に設けられているパイル地と係合し、回動板７１を筐体Ｃ４の内壁に固定する。回動板７２の回動中心と反対端に、回動板用係合手段としての面ファスナー７２ａが設けられている。面ファスナー７２ａは、筐体Ｃ４の内壁に設けられているパイル地と係合し、回動板７２を筐体Ｃ４の内壁に固定する。回動板７３の回動中心と反対端に、回動板用係合手段としての面ファスナー７３ａが設けられている。面ファスナー７３ａは、筐体Ｃ４の内壁に設けられているパイル地と係合し、回動板７３を筐体Ｃ４の内壁に固定する。回動板７４の回動中心と反対端に、回動板用係合手段としての面ファスナー７４ａが設けられている。面ファスナー７４ａは、筐体Ｃ４の内壁に設けられているパイル地と係合し、回動板７４を筐体Ｃ４の内壁に固定する。
【００５５】
また、回動板７１の回動中心と反対端の近傍に、面ファスナー７１ｂが設けられ、回動板７４の回動中心と反対端の近傍に、面ファスナー７４ｂが設けられている。
【００５６】
なお、中心板６０の、図中、縦方向の長さを調節することができる。たとえば、中心板６０を２枚の板で構成し、両板のそれぞれに面ファスナーを取り付け、張り合わせ位置を調整すれば、中心板６０の全体の長さを任意の長さに設定することができる。また、中心板６０として、筒状部材とこの筒状部材に挿入可能な平板とで構成し、挿入位置を調整し、固定することによって、中心板６０の全体の長さを任意の長さに設定することができる。
【００５７】
図７（１）は、バッグ４００において、中仕切りＰ４をバッグ４００の内部に固定している一例を示す図である。この例では、三角形の領域（空間）が２つ形成され、台形の領域（空間）が２つ形成されている。また、マジックテープ（登録商標）等の着脱可能な接着手段としての面ファスナーＦ１が、中心板６０の下部（筐体Ｃ４の内壁底部側）に設けられている。なお、バッグ４００の筐体Ｃ４の内壁底部には、面ファスナーＦ１に対応する面ファスナーＦ２が設けられている。
【００５８】
そして、面ファスナー７１ｂに面ファスナー７２ａを係合させることによって、回動板７１に回動板７２を接着させることができる。また、面ファスナー７４ｂに面ファスナー７３ａを係合させることによって、回動板７３に回動板７４を接着させることができる。つまり、図７（１）に示す状態で、中仕切りＰ４を、筐体Ｃ４から取り出し、回動板７２を反時計方向に回動し、回動板７２を回動板７１に貼り合せ、回動板７３を時計方向に回動し、回動板７３を回動板７４に貼り合せる。すなわち、回動板７２の面ファスナー７２ａを、回動板７１の面ファスナー７１ｂに係合させ、回動板７３の面ファスナー７３ａを、回動板７４の面ファスナー７４ｂに係合させる。このようにした中仕切りＰ４を、筐体Ｃ４に挿入し、面ファスナー７１ａ、７２ａ、７３ａ、７４ａを、筐体Ｃ４の内壁に係合させる。このようにすれば、図５に示す状態と同様に、２つの領域（第４の領域Ａ４と第２の領域Ａ２）を設定することができる。なお、回動板７２を回動板７１に貼り合わせ、回動板７３を図７（１）に示す状態すれば、３つの領域を設定することができる。
【００５９】
図７（２）は、バッグ４００において、回動板７１、７４を、図中、水平にセットし、回動板７２、７３を、図中、垂直にセットして、中仕切りＰ４をバッグ４００の内部に固定している例を示す図である。この例では、四角形の領域（空間）が４つの形成されている。
【００６０】
図７（３）は、バッグ４００において、中仕切りＰ４をバッグ４００の内部に固定している他の例を示す図である。この例では、大きな領域（空間）が２つ形成され、小さな領域（空間）が２つ形成されている。
【００６１】
なお、バッグ４００において、面ファスナーの代わりに、マグネットを使用し、内壁に鉄等の磁性体を使用するようにしてもよい。
【００６２】
上記のように、バッグ４００に収納すべき形状に応じて、バッグ４００内の領域（空間）を自在に形成することができる。つまり、バッグ内の空間を二次元的に分割することができ、すなわちバック内の空間を自在に分割することができる。また、バッグ内で縦長収納物を立てて収納する場合、バッグ内壁と中仕切りとの接合手段として、フック、面ファスナー、マグネットを使用しているので、バッグ内壁と中仕切りとの接合手段を容易に製造することができる。
【００６３】
また、上記実施例における中仕切りＰ１、Ｐ２、Ｐ３、Ｐ４を単独で、発明として把握することができる。この場合、中仕切りＰ１、Ｐ２、Ｐ３、Ｐ４を、バッグにのみ使用するのではなく、薬入れ用容器、所定の装置の部品入れ用容器、調味料、果物、菓子等の食品入れ用容器、小物入れ用容器、精密機器用容器、カメラケース用容器等、多種類の容器の中仕切りとして使用することができる。
【符号の説明】
【００６４】
１００、２００、３００…バッグ、
Ｃ１…筐体、
Ｐ１、Ｐ２、Ｐ３…中仕切り、
１１、１２、１３、１４…受板、
２０、４０、５０…中心板、
２１…第１の先端、
２２…第２の先端、
３１、３２、３３、３４、４１、４２、４３、４４…回動板、
Ａ１…第１の領域、
Ａ２…第２の領域、
Ａ３…第３の領域、
Ａ４…第４の領域、
４００…バッグ、
Ｃ４…筐体、
Ｐ４…中仕切り、
６０…中心板、
６１…第１の先端、
６２…第２の先端、
７１、７２、７３、７４…回動板。
【図１】
0005419610.tif 000002
【図２】
0005419610.tif 000003
【図３】
0005419610.tif 000004
【図４】
0005419610.tif 000005
【図５】
0005419610.tif 000006
【図６】
0005419610.tif 000007
【図７】
0005419610.tif 000008